(57)【要約】【課題】固定保護板に体の一部が当たり力が加わったとき固定保護板が大きく移動して挟み込みを防止するエスカレータ用安全装置を提供する。【解決手段】エスカレータ用安全装置は、移動手摺（５）が設けられて下階から上階へ傾斜して設置されて上記下階天井面（２）及び上記移動手摺の間に、鉛直面において楔形状空間（６）を形成して配置されたエスカレータ（４）に対して配備されるエスカレータ用安全装置において、上記天井には上記楔形状空間を形成する部分に開口（１０）が設けられ、上記開口を塞いで配置されるとともに上記天井に回動自在に支持される可動天井（１１）と、上記可動天井に固定されるとともに上記楔形状空間を塞ぐように配置される固定保護板（７）と、を備え、上記固定保護板に所定の力が加わると上記可動天井が回動して上記開口が開く。【選択図】図２
2010132425.tif 000002
【特許請求の範囲】
【請求項１】
移動手摺が設けられて下階から上階へ傾斜して設置されて上記下階天井面及び上記移動手摺の間に、鉛直面において楔形状空間を形成して配置されたエスカレータに対して配備されるエスカレータ用安全装置において、
上記天井には上記楔形状空間を形成する部分に開口が設けられ、
上記開口を塞いで配置されるとともに上記天井に回動自在に支持される可動天井と、
上記可動天井に固定されるとともに上記楔形状空間を塞ぐように配置される固定保護板と、
を備え、
上記固定保護板に所定の力が加わると上記可動天井が回動して上記開口が開くことを特徴とするエスカレータ用安全装置。
【請求項２】
上記可動天井が回動を開始することを検知する検知手段と、
回動が検知されたとき上記エスカレータを減速停止するよう指令する制御手段と、
を備えることを特徴とする請求項１に記載のエスカレータ用安全装置。
【発明の詳細な説明】
【技術分野】
【０００１】
この発明は、下階天井の面と移動手摺との間に形成された楔形状空間への挟まれることを防止するエスカレータ用安全装置に関するものである。
【背景技術】
【０００２】
移動手摺を有するエスカレータを下階から上階へ傾斜して設け、下階天井面及び移動手
摺の間の楔形状空間の鋭角側を塞いだ固定保護板を設けた構成に対して、固定保護板が所定範囲外に変位したときに動作する変位検出装置及び変位検出装置の動作により作動する制御装置を設け、制御装置の作動によって報知手段を付勢する。そして、固定保護板が所定範囲外へ変位した異常発生を報知手段により報知する（例えば、特許文献１参照）。
【０００３】
【特許文献１】特開２００３−１６５６８３号公報
【発明の開示】
【発明が解決しようとする課題】
【０００４】
しかし、固定保護板が所定範囲外に変位したときに報知手段により異常発生を報知するが、固定保護板が所定範囲内に変位したときでも体の一部が固定保護板と移動手摺の間に挟まれてしまうという問題をある。
【０００５】
この発明の目的は、固定保護板に体の一部が当たり力が加わったとき固定保護板が大きく移動して挟み込みを防止するエスカレータ用安全装置を提供することである。
【課題を解決するための手段】
【０００６】
この発明に係るエスカレータ用安全装置は、移動手摺が設けられて下階から上階へ傾斜して設置されて上記下階天井面及び上記移動手摺の間に、鉛直面において楔形状空間を形成して配置されたエスカレータに対して配備されるエスカレータ用安全装置において、上記天井には上記楔形状空間を形成する部分に開口が設けられ、上記開口を塞いで配置されるとともに上記天井に回動自在に支持される可動天井と、上記可動天井に固定されるとともに上記楔形状空間を塞ぐように配置される固定保護板と、を備え、上記固定保護板に所定の力が加わると上記可動天井が回動して上記開口が開く。
【発明の効果】
【０００７】
この発明に係るエスカレータ用安全装置の効果は、固定保護板に所定の値以上の力が加わったとき、固定保護板が固定されている可動天井が回動され、固定保護板がスラブと天井との間に収納されるので、天井の一部に設けられた開口が開き、そこに体を逃がすことができる。その結果、固定保護板と移動手摺との間に体の一部が挟み込まれたまま天井と移動手摺との間に引きずり込まれることを防止できることである。
【発明を実施するための最良の形態】
【０００８】
図１は、この発明に係るエスカレータ用安全装置が設置されたエスカレータを概念的に示す側面図である。図において、１は建物の下階のスラブ、２は下階の天井、３は下階の上に構成された上階のスラブ、４は下階のスラブ１から上階のスラブ３へ傾斜して設置されたエスカレータ、５はエスカレータ４の欄干に設けられた移動手摺、６は鉛直面において天井２面と移動手摺５の間に形成された楔形状空間、７は天井２に固定されて楔形状空間６の鋭角側を塞いで配置された固定保護板、８は固定保護板７の移動手摺５の移動方向の手前に配置された可動警告板である。
【０００９】
図２は、この発明を実施するための最良の形態のエスカレータ用安全装置の斜視図である。図において、１０は楔形状空間を形成する部分の天井２に設けられた開口、１１は開口１０を塞ぐように配置されるとともに固定保護板７が固定された可動天井、１２は下階の天井２に対して可動天井１１を回動可能に支持するロック機構付蝶番、１３は可動天井１１と壁板１４とが離間したとき信号を発する検知手段としての近接スイッチ、１５は近接スイッチ１３からの信号によりエスカレータ４の動きを停止するように制御する制御手段としての制御装置である。
【００１０】
可動天井１１は、断面がＬ字状であり、一方の面１１ａは端部でロック機構付蝶番１２により天井２と折り曲げ可能に支持されている。他方の面１１ｂは、壁板１４に接するようにして配置されている。そして、可動天井１１の一方の面１１ａが水平状態にあるとき天井２に設けられた開口１０が塞がれており、可動天井１１が回動して一方の面１１ａが垂直状態にあるとき開口１０が開かれる。
体の一部が可動警告板８を外側に押し退けて固定保護板７に移動手摺５の移動方向に所定の値以上の力を加えたとき、図２に図示する矢印の方向に、可動天井１１はロック機構付蝶番１２を中心にして折られ、図３に示すようにスラブ３と天井２との間に収納される。
【００１１】
可動天井１１がロック機構付蝶番１２を中心にして回動すると、可動天井１１の壁板１４に面する面に固定された近接スイッチ１３が離れるので、近接スイッチ１３から信号が発せられる。この信号は制御装置１５に入力され、制御装置１５ではエスカレータ４の運行を制御している図示しないエスカレータ運行装置にエスカレータ４の運行を減速停止するように指令する。
【００１２】
このように固定保護板７に所定の値以上の力が加わったとき、固定保護板７が固定されている可動天井１１が回動され、固定保護板７がスラブ３と天井２との間に収納されるので、天井２の一部が開いて空間が形成され、そこに体を逃がすことができる。その結果、固定保護板７と移動手摺５との間に体の一部が挟み込まれたまま天井２と移動手摺５との間に引きずり込まれることを防止できる。
【００１３】
また、可動天井１１が回動を始めるとエスカレータ４が減速しながら停止するので、体が天井２の一部に形成された空間に逃げている間にエスカレータ４が停止できる。また、減速停止するので、緊急停止のように他の乗客が転倒してしまうことも防げる。
【００１４】
なお、本実施の形態においては、可動天井１１を上方に回動することにより開口１０を開く例を説明したが、可動天井１１を下方に回動することにより開口１０を開いても良い。そのとき、ロック機構付蝶番は所定の力が加わったとき可動天井１１を保持している状態を解除する。
【図面の簡単な説明】
【００１５】
【図１】この発明に係るエスカレータ用安全装置が設置されたエスカレータを概念的に示す側面図である。
【図２】この発明を実施するための最良の形態のエスカレータ用安全装置の斜視図である。
【図３】可動天井が回動し固定保護板が天井２とスラブ３との間に収納された状態を示す斜視図である。
【符号の説明】
【００１６】
１  スラブ、２  天井、３  スラブ、４  エスカレータ、５  移動手摺、６  楔形状空間、７  固定保護板、８  可動警告板、１０  開口、１１  可動天井、１２  ロック機構付蝶番、１３  近接スイッチ、１４  壁板、１５  制御装置。
【図１】
2010132425.tif 000003
【図２】
2010132425.tif 000004
【図３】
2010132425.tif 000005